(57)【要約】【課題】ホットメルト型等の接着剤を用いることなく、簡便な構造で、保持体に筆記芯を確実に固着できると共に、組立工程の安定化、低コストで製造することができる筆記具を提供する。【解決手段】筆記具軸体１０から供給されるインクを誘導し、かつ保溜できる筆記芯３０を有する筆記具Ａであって、前記筆記芯３０は保持体４０を介して筆記具軸体１０に装着されると共に、保持体４０の一部の変形によって筆記芯３０を固定する構造を有することを特徴とする筆記具。【選択図】図１
2017144581.tif 000002
【特許請求の範囲】
【請求項１】
筆記具軸体から供給されるインクを誘導し、かつ保溜できる筆記芯を有する筆記具であって、前記筆記芯は保持体を介して筆記具軸体に装着されると共に、保持体の一部の変形によって筆記芯を固定する構造を有することを特徴とする筆記具。
【請求項２】
変形箇所が、保持体の後部であることを特徴とする請求項１記載の筆記具。
【請求項３】
筆記芯の幅が３ｍｍ以下であることを特徴とする請求項１または２に記載の筆記具。
【請求項４】
保持体には、筆記方向を視認することができる視認部を有することを特徴とする請求項１〜３の何れか一つに記載の筆記具。
【発明の詳細な説明】
【技術分野】
【０００１】
本発明は、筆記具軸体から供給されるインクを誘導し、かつ保溜できる筆記芯を有する筆記具に関し、更に詳しくは、一般に、ペイントマーカー、油性マーカー、水性マーカー、アンダーラインマーカーと呼ばれるタイプの筆記具に関する。
【背景技術】
【０００２】
従来、ペイントマーカー、アンダーラインマーカー等と称される筆記具は、幅広の筆記芯を備えることにより幅広の線引きを可能にしたものであって、マーキングの視認性や作業性に優れているため幅広く使用されている。
ラインマーカー等の筆記具における筆記芯は、一般に合成樹脂繊維等を棒状等に集束したものや、高分子の焼結体などの多孔質部材に毛細管作用を付与し、これにより筆記具本体となる軸体から供給されるインクをペン先に導出することにより筆記可能としたものである。
【０００３】
また、蛍光インクを筆記具本体となる軸体内に収容した筆記具の普及にともない、幅広の線引きを可能とした多くの構造、形状のペン先を有する筆記具が市販されたことにより、使用者の用途に応じた筆記具の広い選択が可能となり、その作業性も快適なものとなっている。
【０００４】
本出願人は、筆記具本体となる軸体から供給されるインクを誘導し、かつ保留できる筆記芯を有する筆記具において、ペン先に、筆記方向を視認できる可視部（窓）を備えた筆記具を開示している（例えば、特許文献１参照）。
このタイプの筆記具は、ペン先の可視部（窓）から筆記した文字が見えるから、チェックしたいところだけ、ピタッとはみ出さずにラインが引けるものである。具体的には、図５（ａ）に示すように、筆記具本体となる軸体１６０内のインク吸蔵体１６１にインクを吸蔵させ、一端に細字タイプの筆記芯からなるペン体１６２と他端に太字タイプの筆記芯からなるペン体９０を有し、インク吸蔵体１６１のインクをそれぞれペン体１６２及びペン体９０に供給する構成となっている。図示符号１６４，１６３はペン体１６２及びペン体９０を保護するキャップである。また、後軸１６５に図５（ｂ）及び（ｃ）にて示す太字タイプの筆記芯からなるペン体９０が取り付けられている。
【０００５】
この太字タイプの筆記芯からなるペン体９０は、透明な支持部材となる保持体９１の外周に、略Ｕ字状の多孔質部材からなるインク誘導部９２，９２と筆記部９３とを有する筆記芯が取り付けられている。保持体９１は、図５（ｄ）に示すように、その外周面には、インク誘導部９２，９２と筆記部９３の略Ｕ字状の多孔質部材から構成される筆記芯を嵌合する段部９１ａを有する嵌合溝９１ｂが形成されており、また、その両側面部には図５（ａ）に示す筆記具の後軸の嵌合孔に取り付けるための嵌合突部９１ｃ，９１ｃが形成されている。この実施形態のペン体９０では、保持体９１が透明な樹脂等からなる視認性を有する部材であるので、該保持体９１が可視部となり、筆記方向を視認できるものとなっている。
【０００６】
このペン体９０において、略Ｕ字状の多孔質部材からなるインク誘導部９２，９２と筆記部９３とを有する筆記芯の保持体９１への取り付けについては、嵌着、接着、溶着などにより行われている。
【０００７】
しかしながら、接着剤による取り付けは、接着剤の塗布過多による筆記芯の浮きや筆記芯の詰まりによる筆記不良などがあり、加熱溶融では、加熱不足となった場合、筆記芯の変形異常が発生することがあり、これらの不良品が発生した場合、選別し排除する作業が必要となるなどの課題がある。また、筆記芯の横（幅）方向の幅を細くすると、さらに接着剤の塗布は少なく制御する必要となるため、安定塗布が困難となるなどの課題がある。一方、接着剤が未塗布だと、筆記具本体となる軸体に内蔵されたインク吸蔵体（中綿）の押圧によって、筆記芯が浮くなどの課題があるのが現状である。
【先行技術文献】
【特許文献】
【０００８】
【特許文献１】特開２０００−５２６８２号公報（特許請求の範囲、段落００１４、図７、図２４、図２５等）
【発明の概要】
【発明が解決しようとする課題】
【０００９】
本発明は、上記従来技術の課題及び現状に鑑み、これを解消しようとするものであり、接着剤等を用いることなく、簡便な構造で、保持体に筆記芯を確実に固定すると共に、組立工程の安定化、低コストで製造することができる筆記具を提供することを目的とする。
【課題を解決するための手段】
【００１０】
本発明者は、上記従来の課題等を解決するために鋭意検討した結果、筆記具軸体から供給されるインクを誘導し、かつ保溜できる筆記芯を有する筆記具において、前記筆記芯を保持体を介して筆記具軸体に装着すると共に、筆記芯を固定する保持体の一部を特定構造とすることにより、上記目的の筆記具が得られることを見出し、本発明を完成するに至ったのである。
【００１１】
すなわち、本発明は、次の（１）〜（４）に存する。
（１）筆記具軸体から供給されるインクを誘導し、かつ保溜できる筆記芯を有する筆記具であって、前記筆記芯は保持体を介して筆記具軸体に装着されると共に、保持体の一部の変形によって筆記芯を固定する構造を有することを特徴とする筆記具。
（２）変形箇所が、保持体の後部であることを特徴とする上記（１）記載の筆記具。
（３）筆記芯の幅が３ｍｍ以下であることを特徴とする上記（１）又は（２）記載の筆記具。
（４）保持体には、筆記方向を視認することができる可視部を有することを特徴とする上記（１）〜（３）の何れか一つに記載の筆記具。
【発明の効果】
【００１２】
本発明によれば、接着剤を用いることなく、簡便な構造で、保持体に筆記芯を確実に固定すると共に、組立工程の安定化、低コストで製造することができる筆記具が提供される。
【図面の簡単な説明】
【００１３】
【図１】本発明の筆記具の実施形態の一例を示すものであり、（ａ）は平面図、（ｂ）は正面図、（ｃ）は縦断面図である。
【図２】（ａ）〜（ｆ）は、保持体に筆記芯を取り付けた状態の一例を示す各図面であり、（ａ）は平面図、（ｂ）は正面図、（ｃ）はＸ−Ｘ線断面図、（ｄ）は左側面図、（ｅ）は右側面図、（ｆ）はＹ−Ｙ線断面図である。
【図３】（ａ）〜（ｇ）は、保持体の一例を示す各図面であり、（ａ）は前方部から見た斜視図、（ｂ）は平面図、（ｃ）は後方部から見た斜視図、（ｄ）は左側面図、（ｅ）は正面図、（ｆ）は右側面図、（ｇ）はＺ−Ｚ線断面図である。
【図４】（ａ）〜（ｅ）は、図３の保持体の変形箇所を示す各図面であり、（ａ）は平面図、（ｂ）は正面図、（ｃ）は図３（ｇ）のＺ−Ｚ線断面図に準拠する線断面図、（ｄ）は左側面図、（ｅ）は右側面図である。
【図５】従来の筆記具の一例を示すものであり、（ａ）は縦断面図、（ｂ）は筆記芯を保持体に取り付けた状態を示す部分正面図、（ｃ）は筆記芯の一例を示す正面図、（ｄ）保持体の平面図である。
【発明を実施するための形態】
【００１４】
以下に、本発明の実施形態について図面を参照しながら詳しく説明する。
図１〜図４は、本発明の筆記具の実施形態の一例を示すものであり、図１（ａ）〜（ｃ）はそれぞれ筆記具の平面図、正面図、縦断面図であり、図２（ａ）〜（ｆ）は、保持体に筆記芯を取り付けた状態の一例を示す各図面であり、図３（ａ）〜（ｇ）は、保持体の一例を示す各図面、図４（ａ）〜（ｅ）は、保持体の変形箇所を示す各図面である。
本実施形態の筆記具Ａは、図１に示すように、筆記具本体となる軸体１０、インク吸蔵体２０、筆記芯３０、保持体４０、キャップ５０を備えている。
【００１５】
軸体１０は、例えば、熱可塑性樹脂、熱硬化性樹脂等で形成されるものであり、図１（ａ）〜（ｃ）に示すように、筆記具用インクを含浸したインク吸蔵体２０を収容する有底筒状の後軸１１と、ペン先となる筆記芯３０を取り付けた保持体４０を固着する先軸１５とを有している。
後軸１１は、例えば、ＰＰ等からなる樹脂を使用して有底筒状に成形され、筆記具の本体（軸体）として機能する。この後軸１１は、図１（ｃ）に示すように、後端側内部にインク吸蔵体２０の後端部を保持する保持片１２、１２…からなる保持部材１３が設けられており、後軸全体及び後述する先軸は不透明又は透明（及び半透明）に成形されるが、外観上や実用上の観点からいずれを採用しても良い。また、後軸１１の前方側に先軸１５が嵌合等により固着される構造となっている。
先軸１５は、後述する筆記芯３０を固定する保持体４０の本体部４１を固着する凸状の嵌合部１６が設けられている。この構造の先軸１５は、例えば、ＰＰ等からなる樹脂などで成形されるものである。
【００１６】
インク吸蔵体２０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体２０は、軸体１０の本体部となる後軸１１内に収容保持されている。
また、用いるインク組成は特に限定されず、筆記具の用途等に応じて、好適な配合処方とすることができ、例えば、アンダーラインペン等ではインクに蛍光色素、例えば、ベーシックバイオレット１１、ベーシックイエロー４０などを含有させることできる。
【００１７】
筆記芯３０は、図２（ａ）〜（ｆ）に示すように、全体がコ字型形状となるものであり、インク誘導部３１、３１と、該インク誘導部３１、３１からのインクを導出する筆記部３２とを備えたものである。
この筆記芯３０は、多孔質部材から構成されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結したポーラス体（焼結芯）などからなるものである。
筆記芯３０の幅は、十分な筆記流量の確保を確保する点から、幅方向の長さ（ｔ）は、好ましくは、０．５０ｍｍ以上、特に、１．００〜３．００ｍｍであることが望ましい。
【００１８】
筆記部３２は、筆記しやすい傾きとなるように、傾斜状（ナイフカット状）となっており、この傾き等は、筆記等の使い勝手に合わせて適宜設定される。また、この筆記部３２は、描線幅（Ｗ）が太いものであり、好ましくは、描線幅１ｍｍ以上、更に好ましくは、描線幅２ｍｍ以上の描線幅となる筆記部が望ましい。
【００１９】
保持体４０は、図２（ａ）〜（ｆ）及び図３（ａ）〜（ｇ）に示すように、上記筆記芯３０を固定して、軸体１０の先軸１５先端開口部に固着されるものであり、膨出状の本体部４１と、該本体部４１の前方側に、フランジ部４２と、筆記方向を視認することができる可視部４３とを有すると共に、該本体部４１の後方側に、上記本体部４１に連設される保持片４４を有する後方保持部４５とを備えたものである。また、これらの部材から構成される保持体４０の長手方向外周面全体には、上記コ字形形状の筆記芯３０を嵌入保持する保持溝４６が形成されている。
また、本体部４１の幅方向外周面には、凹状の嵌合部４１ａが形成され、長手方向外周面には、空気流通溝４１ｂ、４１ｂが形成されている。
【００２０】
このように構成される保持体４０は、全体が視認性を有し、視認性と可撓性を有する材料、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から成形により構成することにより、可視部４３で筆記方向に書いてある文字を有効に視認できることとなる。なお、可視部４３だけを視認性を有する材料で構成してもよい。
また、保持体４０は、上記各材料の一種類、または、耐久性、視認性の更なる向上の点などから、２種類以上の材料を用いて構成してもよく、射出成形、ブロー成形などの各種成形法により成形することができる。
【００２１】
この筆記具Ａにおいて、保持溝４６に上記筆記芯３０を嵌入した際に、筆記芯３０と接触する保持体４０の底面は平滑面形状と凹凸形状が施されている。本実施形態では、筆記芯３０のインク誘導部３１，３１と接触する箇所となる、保持溝４６の側方表面部４７a、４７aは平滑面形状となっており、また、筆記芯３０の筆記部３２と接触する箇所となる、保持溝４６の前方表面部４７ｂには、筆記部３２の筆記時等の際のズレを防止して保持を確実にするための凹凸段差が微小の凹凸形状面部４９が形成されている。
この筆記具Ａでは、保持溝４６に上記コ字形形状の筆記芯３０を嵌入せしめた後、図２（ｆ）に示すように、保持体４０の後方保持部４５の保持片４４、４４…の上部を内側に変形せしめる（かしめる）ことにより、筆記芯３０のインク誘導部３１、３１は、上下に設けられた保持片４４、４４…で保持溝４６に固定でき、これにより、筆記芯３０を保持体４０の前方側から保持溝４６内に確実に固定されることなる。この構造では、筆記芯３０の抜け方向は、筆記芯３０の挿入（圧入）方向の反対方向となる筆記部３２の方向となるものであるが、抜け方向に特に力がかかる保持体４０の後方に設けた保持片４４、４４…の上部を変形する（かしめる）ことにより、接着剤等を用いることなく、抜け止め防止を図ることができ、筆記芯３０は保持体４０の保持溝４６に確実に固定されることなる。なお、保持対４０の本体部４１は変形しないので、保持体４０の先軸１５への嵌合による固着は、寸法安定性が良好であり、確実に先軸１５内に筆記芯３０を固定した保持体４０を固着できることとなる。
また、本実施形態では、筆記芯３０の筆記部３２と接触する箇所となる、保持溝４６の前方表面部４７ｂには、筆記部３２の筆記時等の際のズレを防止して保持を確実にするための凹凸形状からなる非平滑面部４９が設けられているので、更に、筆記芯３０は保持体４０の保持溝４６に確実に固定されることなる。
【００２２】
この筆記芯３０を固定した保持体４０（図２）を、先軸１５内に挿入すると、先軸１５の凸状の嵌合部１６に保持体４０の凹状の嵌合部４１ａが嵌合することにより、筆記芯３０は保持体４０を介して筆記具軸体１０に装着（固着）されると共に、筆記芯３０のインク誘導部３１，３１の後方側端部３１ａ、３１ａはインク吸蔵体２０の先端側内部に入り込む（圧入される）構成となっている。なお、インク吸蔵体２０の先端側内部にインク誘導部３１，３１の後方側端部３１ａ、３１ａの圧入を容易にするために凹部を形成してもよい。また、軸体１０内の圧力等が増大にした際に、インク垂れ等がペン先となる筆記芯３０から生じることがあるが、本実施形態の筆記具Ａでは、空気流通溝４１ｂを介して軸体１０内と外気とを調整している。
キャップ５０は、先軸１５の先端側外周面に嵌合等により着脱自在に取り付けられるものである。
【００２３】
本発明となる筆記具Ａでは、筆記具の軸体１０を構成する後軸１１内に筆記具用インクを吸蔵したインク吸蔵体２０を挿入して保持せしめ、先軸１５、筆記芯３０を嵌入した保持体４０の一部の変形、すなわち、保持体４０の後方に設けた上記保持片４４、４４…の変形により筆記芯３０を固定した保持体４０を順次嵌合等により固着せしめることにより、簡単に筆記具Ａを作製することができ、インク吸蔵体２０に吸蔵されたインクは毛管力により筆記芯３０の筆記部３２に効率的に供給され、筆記等に供されるものとなる。
【００２４】
このように構成される筆記具Ａでは、筆記芯３０は保持体４０を介して筆記具軸体１０に装着されると共に、保持体４０の一部の変形によって筆記芯３０を固定する構造を有することにより、ホットメルト型等の接着剤を用いることなく、簡便な構造で、保持体に筆記芯を確実に固着すると共に、組立工程の安定化、低コストで製造することができる筆記具が得られることとなる。
従来におけるホットメルト型接着剤による取り付けは、ホットメルト型接着剤の塗布過多による筆記芯の浮きや、加熱溶融不足での変形異常が発生することがあったり、筆記芯の幅が細いもの、例えば、幅（ｔ）３ｍｍ以下のものでは、さらにホットメルト型接着剤は少量塗布となるため、安定塗布が困難となり、さらにまた、ホットメルト型接着剤を塗布しないものでは、筆記具本体となる軸体に内蔵されたインク吸蔵体（中綿）の押圧で、筆記芯が浮くなどの課題があったが、筆記芯３０が保持体４０の一部の変形によって固定することにより、ホットメルト型接着剤などの接着剤を用いることなく、簡便な構造で、筆記芯を保持体に確実に固着できるので、組立工程の安定化、低コストで製造することができる筆記具が提供される。
本発明では、筆記芯の幅（ｔ）が特に細い幅、３ｍｍ以下のものを用いた場合にも、保持体４０の一部となる上記保持片４４、４４…の変形により筆記芯３０を確実に固定することにより、ホットメルト型等の接着剤を用いることなく、確実に抜け止め防止となり、筆記芯３０を保持体４０の保持溝４６に確実に固着されることなる。
【００２５】
また、本発明の筆記具Ａは、上述の如く、筆記芯３０を固定した保持体４０が、視認性を有する材料で構成されているので、当該保持体４０の可視部４３が、筆記方向を視認できる視認部となるものであり、筆記方向に書いてある文字を確実に読むことができる十分な視認性が付与することができると共に、終筆まで使用可能な筆記具が提供されるものとなる。
【００２６】
本発明の筆記具は、上記実施形態などに限定されることなく、本発明の技術思想を変更しない範囲内で種々変更することができる。
例えば、上記実施形態では、保持体４０の一部の変形を保持片４４、４４…の変形（かしめ）により行ったが、保持片４４以外の場所、例えば、可視部４３の端部を内方への変形させるカシメとしてもよい。
【００２７】
また、本発明の要旨である筆記芯と保持体以外の構成は特に限定されるものではなく、本発明の技術思想を変更しない範囲内で種々変更することができる。
例えば、上記実施形態では、インク吸蔵体２０に吸蔵されたインクを毛管力により筆記芯３０の筆記部３２に効率的に供給せしめる方式（中綿式）の筆記具を示したが、弁機構を備えた筆記具、例えば、筆記具本体となる軸体内に直接インクが収容されたインク室を設けて、インク室と筆記芯との間に弁機構を設け、ペン先方向の押圧移動で弁機構のスプリングの附勢力に抗して弁棒を後退させて弁部を解放してインクの導出を行い、筆記芯にインクを供給する構成の筆記具であってもよいものである。
【００２８】
上記実施形態において、筆記芯３０の筆記部と接触する保持体４０の表面部４７ｂに、筆記の際のズレなどを防止するために、凹凸形状からなる非平滑面部４９を形成したが、形成しなくともよく、また、この凹凸形状を梨地形状としてもよいものである。梨地形状に形成する方法としては、例えば、成形金型へのシボ加工（エッチング加工）や、放電加工、切削によるローレット加工により形成することができ、大量生産による品質安定性やコストの点から、成形金型へのシボ加工（エッチング加工）が望ましい。
さらに、上記実施形態では、ペン先となる筆記芯３０が一つのシングルタイプの筆記具を挙げたが、ツインタイプの筆記具、後軸先端に細字タイプの筆記芯からなるペン体を設けて、インク吸蔵体２０のインクを上記ペン体に供給する構成としてもよいものである。
更にまた、上記実施形態では、筆記具用インクで説明したが、液状化粧料、液状薬剤、塗布液、修正液などの液状体とし、筆記芯を該液状体に併せて、例えば、好適な塗布部材を使用してもよいものである。
【実施例】
【００２９】
次に、実施例により、本発明を更に詳述するが、本発明は下記実施例に限定されるものではない。
【００３０】
〔実施例１〕
下記構成及び図１〜図４に準拠する筆記具、インクを使用した。筆記芯、保持体等の寸法等は下記に示す大きさのものを使用した。
【００３１】
（筆記芯３０の構成）
ＰＥ製焼結芯、気孔率６０％、筆記部：上辺長さ４ｍｍ、下辺長さ５ｍｍ、高さ２ｍｍ、ナイフカット状、インク誘導部：φ（ｔ）２ｍｍ、長さ１６ｍｍ、上辺長さ４ｍｍ、下辺長さ５ｍｍ、高さ２ｍｍ
（保持体４０の構成）
アクリル樹脂製、可視光線透過率８５％〔スガ試験機社製、多光源分光測色計（ＭＳＣ−５Ｎ）にて反射率を測定し、可視光線透過率とした。〕
筆記芯取り付け後の可視部４３（四角形）の大きさ：５ｍｍ×６ｍｍ×３ｍｍ×４ｍｍ
保持片４４の上部高さ２ｍｍを内側に変形し（かしめ）て、筆記芯３０を固定。
【００３２】
（筆記芯３０、保持体４０以外の筆記具部材の構成）
インク吸蔵体：ＰＥＴ繊維束、気孔率８５％、φ６×７７ｍｍ
筆記具本体、キャップ：ポリプロピレン（ＰＰ）製
【００３３】
（インク組成）
インクとして、下記組成の蛍光桃インクを使用した。
色材：ＶＣトナー桃（御国色素社製）                ３０質量部
湿潤剤：グリセリン                                ２５質量部
防腐剤：バイオエース（ケイアイ化成社製）        ０．７質量部
イオン交換水                                  ４４．３質量部
【００３４】
この実施例１の筆記具では、筆記芯３０を保持体４０を介して筆記具軸体１０に装着し、保持体４０の一部の変形、上記保持片４４、４４…の変形（かしめ）により筆記芯３０を固定することにより、ホットメルト型等の接着剤を用いることなく、簡便な構造で、保持体に筆記芯を確実に固着すると共に、組立工程の安定化、低コストで製造することができた。
また、得られた筆記具を用いて、文字の上に筆記したところ、筆記時に可視部４３を介して向こう側の見え方を目視にて確認したところ、視認性が十分であり、見やすく、筆記方向に書いてある文字を読みながら筆記することができた。
【００３５】
更に、自動筆記装置にこの筆記具をセットして、ＪＩＳ  Ｓ６０３７に従い、上質紙面上で筆記角度６５°、筆記荷重１Ｎ、速度７ｃｍ／ｓ、距離１００ｍで直線筆記後、筆記した描線状態を目視にて確認したところ、筆記性は良好で描線かすれはなく、インク流量も良好であることがわかった。
【産業上の利用可能性】
【００３６】
本発明の筆記具では、アンダーラインペン、ペイントマーカー、油性マーカー、水性マーカーと呼ばれるタイプの筆記具に好適に使用することができる。
【符号の説明】
【００３７】
Ａ  筆記具
１０  軸体
１１  後軸
１５  先軸
２０  インク吸蔵体
３０  筆記芯
４０  保持体
４３  可視部
４４  保持片
５０  キャップ
【図１】
2017144581.tif 000003
【図２】
2017144581.tif 000004
【図３】
2017144581.tif 000005
【図４】
2017144581.tif 000006
【図５】
2017144581.tif 000007